【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
ビデオデータを符号化または復号する方法であって、
ビデオデータの少なくとも１つの再構築されたサンプルをロケートすることと、
１つまたは複数の拡張角度イントラ予測モードが現在のブロックの少なくとも１つのサンプルのイントラ予測に使用するために利用可能であることを前記現在のブロックの形状に基づいて決定することと、
現在のブロックの少なくとも１つのサンプルのイントラ予測に使用するための少なくとも１つの利用可能な拡張角度イントラ予測モードを決定することと、
前記少なくとも１つの再構築されたサンプルに基づいて、前記現在のブロックの少なくとも１つのサンプルを、前記少なくとも１つの拡張角度イントラ予測モードを使用してイントラ予測することと、拡張角度イントラ予測モードは、水平−４５度を超える角度イントラ予測モードおよび垂直−４５度を超える角度イントラ予測モードを含む、
前記少なくとも１つの予測されたサンプルに基づいて、前記現在のブロックを符号化または復号することと
を備える、方法。
【請求項２】
１つまたは複数の拡張角度イントラ予測モードが前記現在のブロックのイントラ予測に利用可能であることを前記現在のブロックの形状に基づいて決定することは、
垂直−４５度を超える１つまたは複数の拡張角度イントラ予測モードが前記現在のブロックのイントラ予測に利用可能であると共に、水平−４５度を超える１つまたは複数の拡張角度イントラ予測モードが前記現在のブロックのイントラ予測に利用可能でないことを決定することであって、前記決定することはブロックの高さより大きいブロック幅に基づくものである、決定すること、および／または
水平−４５度を超える１つまたは複数の拡張角度イントラ予測モードが前記現在のブロックのイントラ予測に利用可能であると共に、垂直−４５度を超える１つまたは複数の拡張角度イントラ予測モードが前記現在のブロックのイントラ予測に利用可能でないことを決定することであって、前記決定することはブロックの高さより小さいブロック幅に基づくものである、決定すること
を備える、請求項１に記載の方法。
【請求項３】
前記現在のブロックに近隣する少なくとも１つの再構築されたサンプルの利用可能性に基づいて、前記少なくとも１つの拡張角度イントラ予測モードが前記現在のブロックのイントラ予測に利用可能であるかどうかを決定することをさらに備える、請求項１に記載の方法。
【請求項４】
前記少なくとも１つの拡張角度イントラ予測モードに基づいて、前記現在のブロックのルーマ成分またはクロマ成分のうちの少なくとも１つを予測することをさらに備える、請求項１に記載の方法。
【請求項５】
水平−４５度と垂直−４５度との間の角度イントラ予測モードを置き換えることに応答して、前記少なくとも１つの拡張角度イントラ予測モードを決定することをさらに備える、請求項１に記載の方法。
【請求項６】
前記拡張角度イントラ予測モードの角度方向の範囲内で、水平−４５度と垂直−４５度との間の角度イントラ予測モードをシフトすることに応答して、前記少なくとも１つの拡張角度イントラ予測モードを決定することをさらに備える、請求項１に記載の方法。
【請求項７】
水平−４５度と垂直−４５度との間の角度イントラ予測モードに基づいて、前記現在のブロックに関連付けられた第１の予測ブロックを生成することと、
前記少なくとも１つの拡張角度イントラ予測モードに基づいて、前記現在のブロックに関連付けられた第２の予測ブロックを生成することと、
前記第１の予測ブロックと前記第２の予測ブロックとの加重和を決定することと、
前記加重和に基づいて、最終の予測ブロックを生成することと、
前記最終の予測ブロックに基づいて、前記現在のブロックを予測することと
をさらに備える、請求項１に記載の方法。
【請求項８】
ビデオデータを符号化または復号するように構成される装置であって、前記装置は、
ビデオデータの少なくとも１つの再構築されたサンプルを記憶するように構成されるメモリと、
前記メモリと通信状態にある少なくとも１つのプロセッサと
を備え、前記少なくとも１つのプロセッサは、
少なくとも１つの再構築されたサンプルを識別することと、
１つまたは複数の拡張角度イントラ予測モードが現在のブロックの少なくとも１つのサンプルのイントラ予測に使用するために利用可能であることを前記現在のブロックの形状に基づいて決定することと、
現在のブロックの少なくとも１つのサンプルのイントラ予測に使用するための少なくとも１つの利用可能な拡張角度イントラ予測モードを決定することと、
前記少なくとも１つの再構築されたサンプルに基づいて、前記現在のブロックの少なくとも１つのサンプルを、前記少なくとも１つの拡張角度イントラ予測モードを使用してイントラ予測することと、拡張角度イントラ予測モードは、水平−４５度を超える角度イントラ予測モードおよび垂直−４５度を超える角度イントラ予測モードを含む、
前記少なくとも１つの予測されたサンプルに基づいて、前記現在のブロックを符号化または復号することと
をするように構成される、装置。
【請求項９】
１つまたは複数の拡張角度イントラ予測モードが前記現在のブロックのイントラ予測に利用可能であることを前記現在のブロックの形状に基づいて決定することは、
垂直−４５度を超える１つまたは複数の拡張角度イントラ予測モードが前記現在のブロックのイントラ予測に利用可能であると共に、水平−４５度を超える１つまたは複数の拡張角度イントラ予測モードが前記現在のブロックのイントラ予測に利用可能でないことを決定することであって、前記決定することはブロックの高さより大きいブロック幅に基づくものである、決定すること、および／または
水平−４５度を超える１つまたは複数の拡張角度イントラ予測モードが前記現在のブロックのイントラ予測に利用可能であると共に、垂直−４５度を超える１つまたは複数の拡張角度イントラ予測モードが前記現在のブロックのイントラ予測に利用可能でないことを決定することであって、前記決定することはブロックの高さより小さいブロック幅に基づくものである、決定すること
を備える、請求項８に記載の装置。
【請求項１０】
前記少なくとも１つのプロセッサは、前記現在のブロックに近隣する少なくとも１つの再構築されたサンプルの利用可能性に基づいて、前記少なくとも１つの拡張角度イントラ予測モードが前記現在のブロックのイントラ予測に利用可能であるかどうかを決定するようにさらに構成される、請求項８に記載の装置。
【請求項１１】
前記少なくとも１つのプロセッサは、前記少なくとも１つの拡張角度イントラ予測モードに基づいて、前記現在のブロックのルーマ成分またはクロマ成分のうちの少なくとも１つを予測するようにさらに構成される、請求項８に記載の装置。
【請求項１２】
前記少なくとも１つのプロセッサは、水平−４５度と垂直−４５度との間の角度イントラ予測モードの置き換えに応答して、前記少なくとも１つの拡張角度イントラ予測モードを決定するようにさらに構成される、請求項８に記載の装置。
【請求項１３】
前記少なくとも１つのプロセッサは、水平−４５度と垂直−４５度との間の角度イントラ予測モードが前記拡張角度イントラ予測モードの角度方向の範囲内となるためのシフトに応答して、前記少なくとも１つの拡張角度イントラ予測モードを決定するようにさらに構成される、請求項８に記載の装置。
【請求項１４】
前記少なくとも１つのプロセッサは、
水平−４５度と垂直−４５度との間の角度イントラ予測モードに基づいて、前記現在のブロックに関連付けられた第１の予測ブロックを生成することと、
前記少なくとも１つの拡張角度イントラ予測モードに基づいて、前記現在のブロックに関連付けられた第２の予測ブロックを生成することと、
前記第１の予測ブロックと前記第２の予測ブロックとの加重和を決定することと、
前記加重和に基づいて、最終の予測ブロックを生成することと、
前記最終の予測ブロックに基づいて、前記現在のブロックを予測することと
をするようにさらに構成される、請求項８に記載の装置。
【請求項１５】
実行されると、請求項１乃至７のいずれか１つの方法に従ってビデオデータを符号化または復号することを１つまたは複数のプロセッサにさせる命令を記憶する、コンピュータ可読記憶媒体。
【手続補正２】
【補正対象書類名】明細書
【補正対象項目名】０１２０
【補正方法】変更
【補正の内容】
【０１２０】
[0141]  動き補償ユニット７２が動きベクトルおよび他のシンタックス要素に基づいて現在のビデオブロックについての予測ブロックを生成した後に、ビデオ復号器３０は、逆変換ユニット７８からの残差ブロックを、動き補償ユニット７２によって生成された対応する予測ブロックと加算することによって、復号されたビデオブロックを形成する。加算器８０は、この加算演算を行う１つまたは複数のコンポーネントを表す。所望される場合、デブロッキングフィルタもまた、ブロッキネスアーティファクトを取り除くために、復号されたブロックをフィルタリングするように適用され得る。（コーディングループ中またはコーディングループ後のいずれかの）他のループフィルタもまた、ピクセル遷移を平滑化するために、またはそうでない場合はビデオ品質を改善するために使用され得る。所与のフレームまたはピクチャ中の復号されたビデオブロックはその後、参照ピクチャメモリ８２中に記憶され、それは、後続する動き補償に使用される参照ピクチャを記憶する。参照ピクチャメモリ８２はまた、図１のディスプレイデバイス３２のようなディスプレイデバイス上での後の提示のために、復号されたビデオを記憶する。
以下に本願の出願当初の特許請求の範囲に記載された発明を付記する。
[Ｃ１]  ビデオデータを符号化または復号する方法であって、
ビデオデータの少なくとも１つの再構築されたサンプルをロケートすることと、
現在のブロックの少なくとも１つのサンプルのイントラ予測に使用するための少なくとも１つの拡張角度イントラ予測モードを決定することと、
前記少なくとも１つの再構築されたサンプルに基づいて、前記現在のブロックの少なくとも１つのサンプルを、前記少なくとも１つの拡張角度イントラ予測モードを使用してイントラ予測することと、拡張角度イントラ予測モードは、水平−４５度と垂直−４５度との間の角度予測モード以外の角度イントラ予測モードを含む、
前記少なくとも１つの予測されたサンプルに基づいて、前記現在のブロックを符号化または復号することと
を備える、方法。
[Ｃ２]  前記少なくとも１つの拡張角度イントラ予測モードは、水平−４５度を超える角度モードまたは垂直−４５度を超える角度モードのうちの少なくとも１つを備える、Ｃ１に記載の方法。
[Ｃ３]  前記現在のブロックの形状に基づいて、前記少なくとも１つの拡張角度イントラ予測モードが前記現在のブロックのイントラ予測に利用可能であるかどうかを決定することをさらに備える、Ｃ１に記載の方法。
[Ｃ４]  前記現在のブロックに近隣する少なくとも１つの再構築されたサンプルの利用可能性に基づいて、前記少なくとも１つの拡張角度イントラ予測モードが前記現在のブロックのイントラ予測に利用可能であるかどうかを決定することをさらに備える、Ｃ１に記載の方法。
[Ｃ５]  前記少なくとも１つの拡張角度イントラ予測モードに基づいて、前記現在のブロックのルーマ成分またはクロマ成分のうちの少なくとも１つを予測することをさらに備える、Ｃ１に記載の方法。
[Ｃ６]  水平−４５度と垂直−４５度との間の角度イントラ予測モードを置き換えることに応答して、前記少なくとも１つの拡張角度イントラ予測モードを決定することをさらに備える、Ｃ１に記載の方法。
[Ｃ７]  前記拡張角度イントラ予測モードの角度方向の範囲内で、水平−４５度と垂直−４５度との間の角度イントラ予測モードをシフトすることに応答して、前記少なくとも１つの拡張角度イントラ予測モードを決定することをさらに備える、Ｃ１に記載の方法。
[Ｃ８]  水平−４５度と垂直−４５度との間の角度イントラ予測モードに基づいて、前記現在のブロックに関連付けられた第１の予測ブロックを生成することと、
前記少なくとも１つの拡張角度イントラ予測モードに基づいて、前記現在のブロックに関連付けられた第２の予測ブロックを生成することと、
前記第１の予測ブロックと前記第２の予測ブロックとの加重和を決定することと、
前記加重和に基づいて、最終の予測ブロックを生成することと、
前記最終の予測ブロックに基づいて、前記現在のブロックを予測することと
をさらに備える、Ｃ１に記載の方法。
[Ｃ９]  ビデオデータを符号化または復号するように構成される装置であって、前記装置は、
ビデオデータの少なくとも１つの再構築されたサンプルを記憶するように構成されるメモリと、
前記メモリと通信状態にある少なくとも１つのプロセッサと
を備え、前記少なくとも１つのプロセッサは、
少なくとも１つの再構築されたサンプルを識別することと、
現在のブロックの少なくとも１つのサンプルのイントラ予測に使用するための少なくとも１つの拡張角度イントラ予測モードを決定することと、
前記少なくとも１つの再構築されたサンプルに基づいて、前記現在のブロックの少なくとも１つのサンプルを、前記少なくとも１つの拡張角度イントラ予測モードを使用してイントラ予測することと、拡張角度イントラ予測モードは、水平−４５度と垂直−４５度との間の角度予測モード以外の角度イントラ予測モードを含む、
前記少なくとも１つの予測されたサンプルに基づいて、前記現在のブロックを符号化または復号することと
をするように構成される、装置。
[Ｃ１０]  前記少なくとも１つの拡張角度イントラ予測モードは、水平−４５度を超える角度モードまたは垂直−４５度を超える角度モードのうちの少なくとも１つを備える、Ｃ９に記載の装置。
[Ｃ１１]  前記少なくとも１つのプロセッサは、前記現在のブロックの形状に基づいて、前記少なくとも１つの拡張角度イントラ予測モードが前記現在のブロックのイントラ予測に利用可能であるかどうかを決定するようにさらに構成される、Ｃ９に記載の装置。
[Ｃ１２]  前記少なくとも１つのプロセッサは、前記現在のブロックに近隣する少なくとも１つの再構築されたサンプルの利用可能性に基づいて、前記少なくとも１つの拡張角度イントラ予測モードが前記現在のブロックのイントラ予測に利用可能であるかどうかを決定するようにさらに構成される、Ｃ９に記載の装置。
[Ｃ１３]  前記少なくとも１つのプロセッサは、前記少なくとも１つの拡張角度イントラ予測モードに基づいて、前記現在のブロックのルーマ成分またはクロマ成分のうちの少なくとも１つを予測するようにさらに構成される、Ｃ９に記載の装置。
[Ｃ１４]  前記少なくとも１つのプロセッサは、水平−４５度と垂直−４５度との間の角度イントラ予測モードの置き換えに応答して、前記少なくとも１つの拡張角度イントラ予測モードを決定するようにさらに構成される、Ｃ９に記載の装置。
[Ｃ１５]  前記少なくとも１つのプロセッサは、水平−４５度と垂直−４５度との間の角度イントラ予測モードが前記拡張角度イントラ予測モードの角度方向の範囲内となるためのシフトに応答して、前記少なくとも１つの拡張角度イントラ予測モードを決定するようにさらに構成される、Ｃ９に記載の装置。
[Ｃ１６]  前記少なくとも１つのプロセッサは、
水平−４５度と垂直−４５度との間の角度イントラ予測モードに基づいて、前記現在のブロックに関連付けられた第１の予測ブロックを生成することと、
前記少なくとも１つの拡張角度イントラ予測モードに基づいて、前記現在のブロックに関連付けられた第２の予測ブロックを生成することと、
前記第１の予測ブロックと前記第２の予測ブロックとの加重和を決定することと、
前記加重和に基づいて、最終の予測ブロックを生成することと、
前記最終の予測ブロックに基づいて、前記現在のブロックを予測することと
をするようにさらに構成される、Ｃ９に記載の装置。
[Ｃ１７]  ビデオデータを符号化または復号するように構成される装置であって、前記装置は、
ビデオデータの少なくとも１つの再構築されたサンプルを記憶するための手段と、
少なくとも１つの再構築されたサンプルを識別するための手段と、
現在のブロックの少なくとも１つのサンプルのイントラ予測に使用するための少なくとも１つの拡張角度イントラ予測モードを決定するための手段と、
前記少なくとも１つの再構築されたサンプルに基づいて、前記現在のブロックの少なくとも１つのサンプルを、前記少なくとも１つの拡張角度イントラ予測モードを使用してイントラ予測するための手段と、拡張角度イントラ予測モードは、水平−４５度と垂直−４５度との間の角度予測モード以外の角度イントラ予測モードを含む、
前記少なくとも１つの予測されたサンプルに基づいて、前記現在のブロックを符号化または復号するための手段と
を備える、装置。
[Ｃ１８]  前記少なくとも１つの拡張角度イントラ予測モードは、水平−４５度を超える角度モードまたは垂直−４５度を超える角度モードのうちの少なくとも１つを備える、Ｃ１７に記載の装置。
[Ｃ１９]  前記現在のブロックの形状に基づいて、前記少なくとも１つの拡張角度イントラ予測モードが前記現在のブロックのイントラ予測に利用可能であるかどうかを決定するための手段をさらに備える、Ｃ１７に記載の装置。
[Ｃ２０]  前記現在のブロックに近隣する少なくとも１つの再構築されたサンプルの利用可能性に基づいて、前記少なくとも１つの拡張角度イントラ予測モードが前記現在のブロックのイントラ予測に利用可能であるかどうかを決定するための手段をさらに備える、Ｃ１７に記載の装置。
[Ｃ２１]  前記少なくとも１つの拡張角度イントラ予測モードに基づいて、前記現在のブロックのルーマ成分またはクロマ成分のうちの少なくとも１つを予測するための手段をさらに備える、Ｃ１７に記載の装置。
[Ｃ２２]  水平−４５度と垂直−４５度との間の角度イントラ予測モードの置き換えに応答して、前記少なくとも１つの拡張角度イントラ予測モードを決定するための手段をさらに備える、Ｃ１７に記載の装置。
[Ｃ２３]  水平−４５度と垂直−４５度との間の角度イントラ予測モードが前記拡張角度イントラ予測モードの角度方向の範囲内となるためのシフトに応答して、前記少なくとも１つの拡張角度イントラ予測モードを決定するための手段をさらに備える、Ｃ１７に記載の装置。
[Ｃ２４]  水平−４５度と垂直−４５度との間の角度イントラ予測モードに基づいて、前記現在のブロックに関連付けられた第１の予測ブロックを生成するための手段と、
前記少なくとも１つの拡張角度イントラ予測モードに基づいて、前記現在のブロックに関連付けられた第２の予測ブロックを生成するための手段と、
前記第１の予測ブロックと前記第２の予測ブロックとの加重和を決定するための手段と、
前記加重和に基づいて、最終の予測ブロックを生成するための手段と、
前記最終の予測ブロックに基づいて、前記現在のブロックを予測するための手段と
をさらに備える、Ｃ１７に記載の装置。
[Ｃ２５]  実行されると、ビデオデータを符号化または復号するように構成される１つまたは複数のプロセッサに、
少なくとも１つの再構築されたサンプルを識別することと、
現在のブロックの少なくとも１つのサンプルのイントラ予測に使用するための少なくとも１つの拡張角度イントラ予測モードを決定することと、
前記少なくとも１つの再構築されたサンプルに基づいて、前記現在のブロックの少なくとも１つのサンプルを、前記少なくとも１つの拡張角度イントラ予測モードを使用してイントラ予測することと、拡張角度イントラ予測モードは、水平−４５度と垂直−４５度との間の角度予測モード以外の角度イントラ予測モードを含む、
前記少なくとも１つの予測されたサンプルに基づいて、前記現在のブロックを符号化または復号することと
をさせる命令を記憶する、コンピュータ可読記憶媒体。
[Ｃ２６]  実行されると、ビデオデータを符号化または復号するように構成される前記１つまたは複数のプロセッサに、前記現在のブロックの形状に基づいて、前記少なくとも１つの拡張角度イントラ予測モードが前記現在のブロックのイントラ予測に利用可能であるかどうかを決定することをさせる命令をさらに記憶する、Ｃ２５に記載のコンピュータ可読記憶媒体。
[Ｃ２７]  実行されると、ビデオデータを符号化または復号するように構成される前記１つまたは複数のプロセッサに、前記現在のブロックに近隣する少なくとも１つの再構築されたサンプルの利用可能性に基づいて、前記少なくとも１つの拡張角度イントラ予測モードが前記現在のブロックのイントラ予測に利用可能であるかどうかを決定することをさせる命令をさらに記憶する、Ｃ２５に記載のコンピュータ可読記憶媒体。
[Ｃ２８]  実行されると、ビデオデータを符号化または復号するように構成される前記１つまたは複数のプロセッサに、前記少なくとも１つの拡張角度イントラ予測モードに基づいて、前記現在のブロックのルーマ成分またはクロマ成分のうちの少なくとも１つを予測することをさせる命令をさらに記憶する、Ｃ２５に記載のコンピュータ可読記憶媒体。
[Ｃ２９]  実行されると、ビデオデータを符号化または復号するように構成される前記１つまたは複数のプロセッサに、水平−４５度と垂直−４５度との間の角度イントラ予測モードが前記拡張角度イントラ予測モードの角度方向の範囲内となるためのシフトに応答して、前記少なくとも１つの拡張角度イントラ予測モードを決定することをさせる命令をさらに記憶する、Ｃ２５に記載のコンピュータ可読記憶媒体。
[Ｃ３０]  実行されると、ビデオデータを符号化または復号するように構成される前記１つまたは複数のプロセッサに、
水平−４５度と垂直−４５度との間の角度イントラ予測モードに基づいて、前記現在のブロックに関連付けられた第１の予測ブロックを生成することと、
前記少なくとも１つの拡張角度イントラ予測モードに基づいて、前記現在のブロックに関連付けられた第２の予測ブロックを生成することと、
前記第１の予測ブロックと前記第２の予測ブロックとの加重和を決定することと、
前記加重和に基づいて、最終の予測ブロックを生成することと、
前記最終の予測ブロックに基づいて、前記現在のブロックを予測することと
をさせる命令をさらに記憶する、Ｃ２５に記載のコンピュータ可読記憶媒体。